【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
記録層としての（ｎ＋１）個以上のレイヤを有し、各レイヤのテストライト領域が、少なくとも連続したｎ個のレイヤの間で、レーザ光入射面側からみて重ならない位置に形成されている記録媒体に対して、レーザ照射を行って各レイヤについての記録動作を行う記録部と、
レーザパワー調整のためのテストライトを含めた記録動作に関して、連続したｎ個のレイヤを記録対象レイヤとし、ｎ個の記録対象レイヤに対する記録動作を上記記録部に実行させる制御部と、
を備えた記録装置。但しｎ≧２。
【請求項２】
上記制御部は、レーザ光入射面側からみて奥側のレイヤから順に使用する記録動作を上記記録部に実行させる請求項１に記載の記録装置。
【請求項３】
上記制御部は、記録可能なレイヤのうちで、レーザ光入射面側からみて最も奥に位置するレイヤを含めて連続するｎ個のレイヤを記録対象レイヤとし、
ｎ個の記録対象レイヤに対して奥側のレイヤから順に使用する記録動作を上記記録部に実行させる請求項１又は請求項２に記載の記録装置。
【請求項４】
上記制御部は、記録動作によるレイヤの使用が、ｎ個の記録対象レイヤを越えてレーザ光入射面側のレイヤに進行する場合には、
記録対象レイヤのうちのレーザ光入射面側からみて最も奥に位置するレイヤを記録不可レイヤとし、記録を進行させるレイヤを含んで連続するｎ個のレイヤを、新たに記録対象レイヤとする請求項１乃至請求項３のいずれかに記載の記録装置。
【請求項５】
上記制御部は、記録動作によるレイヤの使用が、ｎ個の記録対象レイヤを越えてレーザ光入射面側のレイヤに進行する場合には、
記録を進行させるレイヤを含めて連続したｎ個のレイヤよりも、レーザ光入射面側からみて奥に位置するレイヤについて、レーザパワー調整結果が得られていない場合は、当該奥に位置するレイヤを記録不可レイヤとし、記録を進行させるレイヤを含んで連続するｎ個のレイヤを、新たに記録対象レイヤとし、
記録を進行させるレイヤを含めて連続したｎ個のレイヤよりも、レーザ光入射面側からみて奥に位置するレイヤについて、レーザパワー調整結果が得られている場合は、当該奥に位置するレイヤから記録を進行させるレイヤまでの連続する（ｎ＋１）個以上のレイヤを、新たに記録対象レイヤとする請求項１乃至請求項３のいずれかに記載の記録装置。
【請求項６】
上記制御部は、連続する（ｎ＋１）個以上のレイヤを記録対象レイヤとした場合、その後の記録媒体の排出又は装置電源オフの際に、レーザ入射面側からみて手前側のｎ個の記録対象レイヤよりも奥の記録対象レイヤを記録不可レイヤとする処理を行う請求項５に記載の記録装置。
【請求項７】
記録層としての（ｎ＋１）個以上のレイヤを有し、各レイヤのテストライト領域が、少なくとも連続したｎ個のレイヤの間で、レーザ光入射面側からみて重ならない位置に形成されている記録媒体に対する記録方法として、
連続したｎ個のレイヤを記録対象レイヤとし、ｎ個の記録対象レイヤに対して、レーザパワー調整のためのテストライトを含めた、レーザ照射による記録動作を実行する記録方法。但しｎ≧２。
【請求項８】
レーザパワー調整のためのテストライトを含めた記録動作に関して、記録層としてのレイヤについて、連続したｎ個のレイヤが記録対象レイヤとして記録が行われる記録媒体であって、
（ｎ＋１）個以上のレイヤを有し、
各レイヤにはテストライト領域が設けられており、
上記各レイヤのテストライト領域は、少なくとも連続したｎ個のレイヤの間で、レーザ光入射面側からみて重ならない位置に形成されている記録媒体。但しｎ≧２。
【手続補正２】
【補正対象書類名】明細書
【補正対象項目名】０００７
【補正方法】変更
【補正の内容】
【０００７】
但し、或る記録層のＯＰＣエリアでＯＰＣ動作を行う場合、その記録層よりレーザ光入射面側に位置する記録層における、上記ＯＰＣエリアに重なる部分（レーザ光が通過する部分）が未使用でなくてはならない。
例えばＯＰＣエリアが各記録層において、レーザ光軸方向（ディスク厚み方向）に重なるように配置されているとすると、奥側の記録層のＯＰＣエリアからしか使用できない。これは手前の記録層のＯＰＣ動作を制限することになり、記録動作の自由度を大きく妨げる。
これに対しては、各記録層で、全てＯＰＣエリアがディスク厚み方向に重ならない位置に配置すればよいのであるが、すると記録層数が増えるほど、ＯＰＣ領域として確保しなければならないエリアが増大してしまい、ユーザデータ等の記録容量を圧迫する。
【手続補正３】
【補正対象書類名】明細書
【補正対象項目名】００６６
【補正方法】変更
【補正の内容】
【００６６】
フォーカスサーボ信号ＦＳ-svは、２軸ドライバ４１に供給される。２軸ドライバ４１は、フォーカスサーボ信号ＦＳ-svに基づくフォーカスドライブ信号ＦＤ-svを生成し、該フォーカスドライブ信号ＦＤ-svに基づき２軸アクチュエータ２１のフォーカスコイルを駆動する。
これにより、基準面用レーザ光についてのフォーカスサーボ制御、即ち基準面用レーザ光を基準面Ｒｅｆに合焦させるフォーカスサーボ制御が実現される。
【手続補正４】
【補正対象書類名】明細書
【補正対象項目名】００７５
【補正方法】変更
【補正の内容】
【００７５】
メモリ４７は、コントローラ４４のワーク領域や各種の情報を記憶するＲＡＭ領域として示している。
例えばホスト機器との通信データの記憶、各レイヤについてのＯＰＣ結果としてのレーザパワーの記憶、多層記録媒体１から読み出した管理情報や、記録動作に応じて更新される管理情報等の記憶に用いられる。
【手続補正５】
【補正対象書類名】明細書
【補正対象項目名】００８２
【補正方法】変更
【補正の内容】
【００８２】
確認のため述べておくと、ピッチＰｔをスポット間距離Ｄｒ−ａの２倍以上とするのは、プリフォーマットマーク列Ｍｐの間に試し書きが行われたときに、試し書きにより形成されたマーク列とプリフォーマットマーク列Ｍｐとの間隔が光学限界を超えないようにするためである。
但しピッチＰｔはその値を大とするほど記録密度が低下する傾向となる。つまりこの意味で、ピッチＰｔはスポット間距離Ｄｒ−ａの２倍以上という条件を満たす範囲内で最小とすることが望ましい。換言すれば、ピッチＰｔとしては、スポット間距離Ｄｒ−ａの２倍に設定することが、記録密度の低下抑制を図る点で最も望ましいものとなる。
【手続補正６】
【補正対象書類名】明細書
【補正対象項目名】００９８
【補正方法】変更
【補正の内容】
【００９８】
また、ｎ＝３とするのは一例である。記録対象レイヤとして同時記録可能とするレイヤ数ｎ＝４としてもよい。
ｎ＝４とする場合のＯＰＣエリアの配置例を図１０に示す。
ｎ＝４とした場合、図１０のように記録対象レイヤＲＳ０〜ＲＳｍ−３としての、連続する４層のレイヤの組で扱われる。
この場合に、（レイヤＬ０，Ｌ１，Ｌ２，Ｌ３），（レイヤＬ１，Ｌ２，Ｌ３，Ｌ４）・・・（レイヤＬｋ−３，Ｌｋ−２，Ｌｋ−１，Ｌｋ）・・・（レイヤＬｍ−３，Ｌｍ−２，Ｌｍ−１，Ｌｍ）のどの４層をとっても、ＯＰＣエリアはレーザ入射面側からみて重ならない配置とされる。つまり各組の４層のレイヤは、同時記録が可能となる。
【手続補正７】
【補正対象書類名】明細書
【補正対象項目名】０１１３
【補正方法】変更
【補正の内容】
【０１１３】
比較的大容量のユーザデータ、例えば映像等のストリームデータの記録が行われる場合、図１３に示すようにレイヤＬ０〜Ｌ２のＳＲＲ＃２の領域が使い切られ、続くユーザデータをレイヤＬ３のＳＲＲ＃２に対して行いたい場合が生ずる。
特に大きなサイズのファイルの追記が続いた場合、追記の回数も少なくなり、管理領域（ＴＤＭＡ）への管理データの記録も少なくなる。またＳＲＲ＃１、ＳＲＲ＃３のファイルシステム情報の記録も少なくなる。このような場合、図示のようにＳＲＲ＃２のみ、記録動作が他の領域より大きく進行してしまう。
【手続補正８】
【補正対象書類名】明細書
【補正対象項目名】０１３５
【補正方法】変更
【補正の内容】
【０１３５】
このような事情から、コントローラ４４はステップＦ３０４で、記録を進行させるレイヤを含めて３レイヤよりも奥側の未クローズのレイヤについて、ＯＰＣ結果の最適レーザパワーを記憶しているか否かを確認したうえで、処理を分岐する。
【手続補正９】
【補正対象書類名】図面
【補正対象項目名】図９
【補正方法】変更
【補正の内容】
【図９】
2013225360.tif 000001
【手続補正１０】
【補正対象書類名】図面
【補正対象項目名】図１２
【補正方法】変更
【補正の内容】
【図１２】
2013225360.tif 000002